(57)【特許請求の範囲】
【請求項１】
建造物の出入口の領域に配置した屋外、屋内相互に通行人が出入通過可能な間隔を有しつつ対向配置するとともに、相対向する円弧状の内周面全体に各々多数の空気流入孔を具備し、内部を中空とし、天井内に至る上部を空気排出部とした一対の曲面周壁と、
前記一対の曲面周壁により画される領域の中心部において、その上方の天井内に配置した駆動源により回転駆動される垂直配置の軸体及びこの軸体とともに回転する同心配置の枠取り付け体と、
各々が中空の突出端枠、上枠及び下枠をコ状に組み込むとともに、上枠及び下枠の基端部を前記枠取り付け体に取り付け、これらで囲む領域に透明体を配置した中心に関して９０度間隔配置の４枚のドアパネルを具備し、前記突出端枠と前記曲面周壁内周との間の空間寸法、前記下枠と床面との空間寸法をいずれも各々通行人が通過可能な寸法に設定した回転扉と、
前記４枚のドアパネルにおける前記上枠の基端部に形成した空気流入孔、この上枠内部、突出端枠内部、下枠内部に連なる中空領域と、前記突出端枠、下枠の外周壁に各々形成され、前記回転扉の回転方向に沿って複数段構成とした空気噴出孔と、前記突出端枠と前記曲面周壁との間の空間及び前記下枠と床面との空間、前記一対の曲面周壁の空気流入孔、中空領域及び空気排出部と、から構成される空気循環流通路と、
前記回転扉上部の天井内に配置した前記空気流入孔に空調空気を供給し、前記突出端枠、下枠の空気噴出孔からエアーカーテンとして噴出し、前記突出端枠と前記曲面周壁との間の空間及び前記下枠と床面との空間、前記一対の曲面周壁の空気流入孔、中空領域を経て空気排出部から排出される空気を吸引して循環供給する空調装置と、
前記４枚のドアパネルにおける各上枠の空気流入孔の近傍に各々配置され、前記ドアパネルの９０度回転範囲毎に、１８０度配置の一対のドアパネル側へ空調空気を供給し、他の一対のドアパネル側への空調空気の供給を停止するように制御される合計４個の切り替えダンパと、
を有することを特徴とするエアーカーテン機能付回転式自動扉装置。
【請求項２】
建造物の出入口の領域に配置した屋外、屋内相互に通行人が出入通過可能な間隔を有しつつ対向配置するとともに、相対向する円弧状の内周面全体に各々多数の空気流入孔を具備し、内部を中空とし、天井内に至る上部を空気排出部とした一対の曲面周壁と、
前記一対の曲面周壁により画される領域の中心部において、その上方の天井内に配置した駆動源により回転駆動される垂直配置の軸体及びこの軸体とともに回転する同心配置の枠取り付け体と、
各々が中空の突出端枠、上枠及び下枠をコ状に組み込むとともに、上枠及び下枠の基端部を前記枠取り付け体に取り付け、これらで囲む領域に網入り透明ガラスを配置した中心に関して９０度間隔配置の４枚のドアパネルを具備し、前記突出端枠と前記曲面周壁内周との間の空間寸法を通行人が通過可能な略４０ｃｍ、前記下枠と床面との空間寸法を通行人が通過可能な略４０ｃｍに設定した回転扉と、
前記４枚のドアパネルにおける前記上枠の基端部に形成した空気流入孔、この上枠内部、突出端枠内部、下枠内部に連なる中空領域と、前記突出端枠、下枠の外周壁に各々形成され、前記回転扉の回転方向に沿って複数段構成とした空気噴出孔と、前記突出端枠と前記曲面周壁との間の空間及び前記下枠と床面との空間、前記一対の曲面周壁の空気流入孔、中空領域及び空気排出部と、から構成される空気循環流通路と、
前記回転扉上部の天井内に配置した前記空気流入孔に空調空気を供給し、前記突出端枠、下枠の空気噴出孔からエアーカーテンとして噴出し、前記突出端枠と前記曲面周壁との間の空間及び前記下枠と床面との空間、前記一対の曲面周壁の空気流入孔、中空領域を経て空気排出部から排出される空気を吸引して循環供給する空調装置と、
前記４枚のドアパネルにおける各上枠の空気流入孔の近傍に各々配置され、前記ドアパネルの９０度回転範囲毎に、１８０度配置の一対のドアパネル側へ空調空気を供給し、他の一対のドアパネル側への空調空気の供給を停止するように制御される合計４個の切り替えダンパと、
を有することを特徴とするエアーカーテン機能付回転式自動扉装置。
【請求項３】
前記突出端枠、下枠の外周壁は、柔軟性材料により形成されているとともに、前記一対の曲面周壁の内周面全体も柔軟性材料により形成されていることを特徴とする請求項１又は２記載のエアーカーテン機能付回転式自動扉装置。
【発明の詳細な説明】
【技術分野】
【０００１】
本発明は、エアーカーテン機能付回転式自動扉装置に関し、詳しくは、特に安全性を向上させた回転式自動扉装置に関するものである。
【背景技術】
【０００２】
大型の事務所ビルやデパート、ホテル等の正面玄関に設置される回転式自動扉は、建物の豪華さ、正面玄関ホールの屋外からの騒音遮断、埃等の進入防止、快適な空調環境の保全等の諸点で優れた機能を発揮する。
【０００３】
ところが、近年小児が回転する扉と周壁との間の隙間に頭部を挟まれ不幸にも死亡に至るという事故が発生し、このため、警察や関連官庁の調査の結果現段階では大部分の回転式自動扉が使用禁止とされ、通常の手動式開閉扉かスライド式自動扉のみが使用されているのが現状である。
【０００４】
死亡事故が発生したことは真に不幸なことではあるが、上述したような優れた機能を有する回転式自動扉をこのまま没にすることは惜しまれるとろである。
【０００５】
特許文献１には、４枚構成のドアパネルにより構成した回転ドアと、この回転ドアの外側に固定配置した出入口を画する外壁との間に５００ｍｍの空間を形成し、空間部分にアルミササッシで挟んだ切り込み付きの軟質シートを配置して、通行人が挟まれた場合の安全を確保するとともに冷暖房空気の調節等を可能とした回転ドアが提案されている。
【０００６】
この特許文献１の場合、回転ドアと切り込み付きの軟質シートとを組み合わせたものであるから、安全性、快適な空調環境の保全の点は別として見栄えの点で必ずしも満足し得るとは言い難い。
【特許文献１】実用新案登録第３１２２７８８号公報
【発明の開示】
【発明が解決しようとする課題】
【０００７】
本発明が解決しようとする問題点は、快適な空調環境の保全の点はもちろんのこと、通行人の通過時の安全性に優れ、かつ、見栄えの点でも従来型の回転扉に比して遜色のない回転式自動扉装置が存在しない点である。
【課題を解決するための手段】
【０００８】
本発明のエアーカーテン機能付回転式自動扉装置は、建造物の出入口の領域に配置した屋外、屋内相互に通行人が出入通過可能な間隔を有しつつ対向配置するとともに、相対向する円弧状の内周面全体に各々多数の空気流入孔を具備し、内部を中空とし、天井内に至る上部を空気排出部とした一対の曲面周壁と、前記一対の曲面周壁により画される領域の中心部において、その上方の天井内に配置した駆動源により回転駆動される垂直配置の軸体及びこの軸体とともに回転する同心配置の枠取り付け体と、各々が中空の突出端枠、上枠及び下枠をコ状に組み込むとともに、上枠及び下枠の基端部を前記枠取り付け体に取り付け、これらで囲む領域に透明体を配置した中心に関して９０度間隔配置の４枚のドアパネルを具備し、前記突出端枠と前記曲面周壁内周との間の空間寸法、前記下枠と床面との空間寸法をいずれも各々通行人が通過可能な寸法に設定した回転扉と、
前記４枚のドアパネルにおける前記上枠の基端部に形成した空気流入孔、この上枠内部、突出端枠内部、下枠内部に連なる中空領域と、前記突出端枠、下枠の外周壁に各々形成され、前記回転扉の回転方向に沿って複数段構成とした空気噴出孔と、前記突出端枠と前記曲面周壁との間の空間及び前記下枠と床面との空間、前記一対の曲面周壁の空気流入孔、中空領域及び空気排出部と、から構成される空気循環流通路と、前記回転扉上部の天井内に配置した前記空気流入孔に空調空気を供給し、前記突出端枠、下枠の空気噴出孔からエアーカーテンとして噴出し、前記突出端枠と前記曲面周壁との間の空間及び前記下枠と床面との空間、前記一対の曲面周壁の空気流入孔、中空領域を経て空気排出部から排出される空気を吸引して循環供給する空調装置と、前記４枚のドアパネルにおける各上枠の空気流入孔の近傍に各々配置され、前記ドアパネルの９０度回転範囲毎に、１８０度配置の一対のドアパネル側へ空調空気を供給し、他の一対のドアパネル側への空調空気の供給を停止するように制御される合計４個の切り替えダンパと、を有することを最も主要な特徴とする。
【発明の効果】
【０００９】
請求項１、２記載の発明によれば、建造物内における快適な空調環境の保全が万全となり、省エネルギーの観点からも有益であり、子供はもとより大柄な大人でも挟まれることを回避できて通行人の通過時の安全性に極めて優れ、かつ、見栄えの点でも従来型の回転扉に比して遜色がなく、さらに、前記突出端枠、下枠に設けた空気噴出孔を回転扉の回転方向に沿って複数段構成としているので、空気噴出孔から噴出させる空調空気を緩やかなものとすることができ、特に女性の通行人に不快感を与えることもないエアーカーテン機能付回転式自動扉装置を提供できる。
【００１０】
請求項３記載の発明によれば、請求項１、２記載の発明の効果を奏することに加え、突出端枠、下枠の外周壁は、柔軟性材料により形成されているとともに、前記一対の曲面周壁の内周面全体も柔軟性材料により形成されているので、より安全性を高めたエアーカーテン機能付回転式自動扉装置を提供できる。
【発明を実施するための最良の形態】
【００１３】
本発明は、快適な空調環境の保全の点はもちろんのこと、特に通行人の通過時の安全性に優れ、かつ、見栄えの点でも従来型の回転扉に比して遜色のない回転式自動扉装置を提供することを目的とする。
【００１４】
本発明のエアーカーテン機能付回転式自動扉装置は、建造物の出入口の領域に配置した屋外、屋内相互に通行人が出入通過可能な間隔を有しつつ対向配置するとともに、相対向する円弧状の内周面全体に各々多数の空気流入孔を具備し、内部を中空とし、天井内に至る上部を空気排出部とした一対の曲面周壁と、前記一対の曲面周壁により画される領域の中心部において、その上方の天井内に配置した駆動源により回転駆動される垂直配置の軸体及びこの軸体とともに回転する同心配置の枠取り付け体と、各々が中空の突出端枠、上枠及び下枠をコ状に組み込むとともに、上枠及び下枠の基端部を前記枠取り付け体に取り付け、これらで囲む領域に網入り透明ガラスを配置した中心に関して９０度間隔配置の４枚のドアパネルを具備し、前記突出端枠と前記曲面周壁内周との間の空間寸法を通行人が通過可能な略４０ｃｍ、前記下枠と床面との空間寸法を通行人が通過可能な略４０ｃｍに設定した回転扉と、前記４枚のドアパネルにおける前記上枠の基端部に形成した空気流入孔、この上枠内部、突出端枠内部、下枠内部に連なる中空領域と、前記突出端枠、下枠の外周壁に各々形成され、前記回転扉の回転方向に沿って複数段構成とした空気噴出孔と、前記突出端枠と前記曲面周壁との間の空間及び前記下枠と床面との空間、前記一対の曲面周壁の空気流入孔、中空領域及び空気排出部と、から構成される空気循環流通路と、前記回転扉上部の天井内に配置した前記空気流入孔に空調空気を供給し、前記突出端枠、下枠の空気噴出孔からエアーカーテンとして噴出し、前記突出端枠と前記曲面周壁との間の空間及び前記下枠と床面との空間、前記一対の曲面周壁の空気流入孔、中空領域を経て空気排出部から排出される空気を吸引して循環供給する空調装置と、前記４枚のドアパネルにおける各上枠の空気流入孔の近傍に各々配置され、前記ドアパネルの９０度回転範囲毎に、１８０度配置の一対のドアパネル側へ空調空気を供給し、他の一対のドアパネル側への空調空気の供給を停止するように制御される合計４個の切り替えダンパと、を有する構成により上記目的を実現した。
【実施例】
【００１５】
以下に、本発明の実施例に係るエアーカーテン機能付回転式自動扉装置について図１乃至図５を参照して詳細に説明する。
【００１６】
本実施例に係るエアーカーテン機能付回転式自動扉装置１は、図１乃至図３に示すように、例えば、大型の事務所ビルやデパート、ホテル等の建造物２における正面玄関のような出入口内部の領域に一対の曲面周壁３Ａ、３Ｂを対向配置し、この一対の曲面周壁３Ａ、３Ｂに囲まれる領域に回転扉１０を配置した構成としている。
【００１７】
前記一対の曲面周壁３Ａ、３Ｂは、建造物２の屋外、屋内相互に通行人が出入通過可能な間隔を有しつつ所定の厚さを有しつつ対向配置している。また、前記一対の曲面周壁３Ａ、３Ｂにおける相対向する円弧状で柔軟性材料により形成した内周面４ａ、４ｂ全体に各々多数の空気流入孔（パンチング孔）５を穿設し、さらに、これらの内部５ａ、５ｂを各々中空とし、建造物２の天井７内に至る上部を空気排出部６としている。
【００１８】
前記回転扉１０は、前記一対の曲面周壁３Ａ、３Ｂにより画される円形の領域の中心部において、その上方の天井７内に配置した駆動源である駆動モータ１１により回転駆動される垂直配置の軸体１２を有している。
【００１９】
前記回転扉１０は、軸体１２とともに回転する同心配置の枠取り付け体１３を具備し、この枠取り付け体１３に４枚構成の第１乃至第４ドアパネル１４Ａ乃至１４Ｄを９０度間隔配置で取り付けている。
【００２０】
前記第１乃至第４ドアパネル１４Ａ乃至１４Ｄは、各々が中空構造の突出端枠１５、上枠１６及び下枠１７をコ状に組み込むとともに、上枠１６及び下枠１７の各基端部を前記枠取り付け体１３に取り付け、これらで囲む領域に透明体である網入り透明ガラス１８を配置することにより構成している。
【００２１】
さらに、前記第１乃至第４ドアパネル１４Ａ乃至１４Ｄにおける各突出端枠１５と前記曲面周壁３Ａ、３Ｂの内周との間の空間１９の寸法を略４０ｃｍ、前記下枠１７と建造物２の床面８との空間２０の寸法を略４０ｃｍに設定している。
【００２２】
本実施例に係るエアーカーテン機能付回転式自動扉装置１は、前記第１乃至第４ドアパネル１４Ａ乃至１４Ｄにおける前記上枠１６の基端部に形成した空気流入孔２１、上枠１６の内部、突出端枠１５の内部、下枠１７の内部に連なる中空領域と、前記突出端枠１５、下枠１７の外周壁に各々形成した空気噴出孔２２と、前記一対の曲面周壁３Ａ、３Ｂの空気流入孔５、中空領域及び空気排出部６とにより構成される空気循環流通路２３を具備している。
【００２３】
そして、前記天井７内に配置した空調装置２５により、前記回転扉１０上部の天井７内に配置される前記空気流入孔２１に空調空気を供給し、前記突出端枠１５、下枠１７の各空気噴出孔２２からエアーカーテンとして空調空気を噴出し、また、前記突出端枠１５と前記曲面周壁３Ａ、３Ｂとの間の空間１９、曲面周壁３Ａ、３Ｂの空気流入孔５、中空領域を経て前記空気排出部６から排出される空気を吸引して循環供給する構成としている。
【００２４】
さらに、前記第１乃至第４ドアパネル１４Ａ乃至１４Ｄにおける各上枠１６内部の空気流入孔２１の近傍には、各々第１乃至第４切り替えダンパ２４Ａ乃至２４Ｄが配置されている。
【００２５】
前記空調装置２５は、図１、図２に示すように、送風機２６、フィルタ２７、ヒータ２８、クーラー２９を具備し、前記回転扉１０とともに天井７内で回転するように構成されるとともに、冬場等の低温季にはヒータ２８を使用した暖かい空気を空調空気として前記空気流入孔２１に供給し、また、夏場等の高温季にはクーラー２９を使用した冷たい空気を空調空気として前記空気流入孔２１に供給し、さらには、送風機２６のみ使用した空気を空調空気として前記空気流入孔２１に供給するように構成している。
【００２６】
次に、本実施例に係るエアーカーテン機能付回転式自動扉装置１の制御系について図４を参照して説明する。
【００２７】
この制御系は、前記建造物２における正面玄関のような出入口内部の壁面等に配置する前記駆動モータ１１、空調装置２５のオン、オフ操作を行うための操作パネル３１と、操作パネル３１の操作の基に動作し各要素に制御信号を送る駆動制御部３２と、駆動制御部３２からの制御信号に基づき前記駆動モータ１１を回転駆動するモータ駆動部３３と、駆動制御部３２からの制御信号に基づき前記空調装置２５を運転させる空調装置駆動部３４と、駆動制御部３２からの制御信号に基づき前記第１乃至第４切り替えダンパ２４Ａ乃至２４Ｄを切り替えるダンパ駆動部３５と、を具備している。
【００２８】
前記ダンパ駆動部３５は、駆動制御部３２からの制御信号に基づき、前記第１乃至第４ドアパネル１４Ａ乃至１４Ｄの９０度回転範囲毎に、第１乃至第４切り替えダンパ２４Ａ乃至２４Ｄを一対ずつ開又は閉に切り替えるように構成している。
【００２９】
すなわち、前記ダンパ駆動部３５は、図３に示すように、第１ドアパネル１４Ａ及び第３ドアパネル１４Ｃの各突出端枠１５が前記曲面周壁３Ａ及び曲面周壁３Ｂと対向する９０度回転範囲では、第１切り替えダンパ２４Ａ及び第３切り替えダンパ２４Ｃを開状態として第１ドアパネル１４Ａ及び第３ドアパネル１４Ｃの空気循環流通路２３に空調空気が循環するようにすると同時に、第２ドアパネル１４Ｂ及び第４ドアパネル１４の第２切り替えダンパ２４Ｂ及び第４切り替えダンパ２４Ｄを閉状態として第２ドアパネル１４Ｂ及び第４ドアパネル１４Ｄの空気循環流通路２３に空調空気が循環しないように第１乃至第４切り替えダンパ２４Ａ乃至２４Ｄを切り替え駆動する。
【００３０】
また、前記ダンパ駆動部３５は、第２ドアパネル１４Ｂ及び第４ドアパネル１４Ｄの各突出端枠１５が前記曲面周壁３Ａ及び曲面周壁３Ｂと対向する次の９０度回転範囲では、上述した場合とは逆に、第２切り替えダンパ２４Ｂ及び第４切り替えダンパ２４Ｄを開状態として第２ドアパネル１４Ｂ及び第４ドアパネル１４Ｄの空気循環流通路２３に空調空気が循環するようにすると同時に、第１ドアパネル１４Ａ及び第３ドアパネル１４Ｃの第１切り替えダンパ２４Ａ及び第３切り替えダンパ２４Ｃを閉状態として第１ドアパネル１４Ａ及び第３ドアパネル１４Ｃの空気循環流通路２３に空調空気が循環しないように第１乃至第４切り替えダンパ２４Ａ乃至２４Ｄを切り替え駆動する。このような動作が、回転扉１０の回転動作中９０度回転範囲毎に交互に繰り返される。
【００３１】
上述した第１乃至第４切り替えダンパ２４Ａ乃至２４Ｄの開閉動作をタイミングチャートとして図５に示す。
【００３２】
本実施例に係るエアーカーテン機能付回転式自動扉装置１においては、上述したような前記ダンパ駆動部３５による第１乃至第４切り替えダンパ２４Ａ乃至２４Ｄの切り替え駆動によって、前記曲面周壁３Ａ及び曲面周壁３Ｂと対向する例えば第１ドアパネル１４Ａ及び第３ドアパネル１４Ｃの各突出端枠１５及びその下部の下枠１７の各空気噴出孔２２からのみ空調空気がエアーカーテンとして噴出され、前記曲面周壁３Ａ及び曲面周壁３Ｂと対向しない残り２つの例えば第２ドアパネル１４Ｂ及び第４ドアパネル１４Ｄの各突出端枠１５及びその下部の下枠１７の各空気噴出孔２２からは空調空気が噴出しない構成とし、これを交互に繰り返すようにしている。
【００３３】
次に、上述した構成からなる本実施例に係るエアーカーテン機能付回転式自動扉装置１の作用、効果について以下に説明する。
【００３４】
このエアーカーテン機能付回転式自動扉装置１によれば、建造物２における正面玄関のような出入口内部の領域に一対の曲面周壁３Ａ、３Ｂを対向配置し、この一対の曲面周壁３Ａ、３Ｂに囲まれる領域に前記第１乃至第４ドアパネル１４Ａ乃至１４Ｄからなる回転扉１０を配置し、前記曲面周壁３Ａ及び曲面周壁３Ｂと対向する一対のドアパネル（例えば第１ドアパネル１４Ａ及び第３ドアパネル１４Ｃ）の各突出端枠１５及びその下部の下枠１７の各空気噴出孔２２からのみ空調空気（送風、暖房、冷房のいずれか）をエアーカーテンとして曲面周壁３Ａ、３Ｂの内周との間の空間１９、床面８との空間２０に噴出するように構成している。
【００３５】
従って、建造物２に次々と入る人も、建造物２から外部に出る人も、各々連続的にこの回転扉１０を利用することができる。
【００３６】
この場合に、前記曲面周壁３Ａ、３Ｂの内周との間の空間１９、床面８との空間２０をいずれも４０ｃｍの寸法としているので、子供はもとより大柄な大人でも突出端枠１５と曲面周壁３Ａ又は３Ｂとの間に挟まれることはなく、前記一対の曲面周壁３Ａ、３Ｂの内周面４ａ、４ｂを柔軟性材料により形成していること相俟って極めて安全性に優れたエアーカーテン機能付回転式自動扉装置１とすることができる。
【００３７】
また、前記曲面周壁３Ａ及び曲面周壁３Ｂと対向する一対のドアパネル（例えば第１ドアパネル１４Ａ及び第３ドアパネル１４Ｃ）のみから空調空気をエアーカーテンとして噴出しているので、建造物２の内外を一対のドアパネルとエアーカーテンとの組み合わせにより遮断して、建造物２の内部から外部へ或いは外部から内部への気流の通過を遮断することができ、建造物２内における快適な空調環境の保全が万全となり、省エネルギーの観点からも有益となる。
【００３８】
同時に、前記曲面周壁３Ａ及び曲面周壁３Ｂと対向する一対のドアパネル（例えば第１ドアパネル１４Ａ及び第３ドアパネル１４Ｃ）のみから空調空気を噴出し、残りの一対のドアパネル（例えば第２ドアパネル１４ＢＡ及び第４パネル１４Ｄ）からは空調空気を噴出しないようにし、これを第１ドアパネル１４Ａ乃至第４ドアパネル１４Ｄに関して一対ずつ交互に繰り返すようにしているので、建造物２に次々と出入する人に対しては空調空気がほとんど当たらず、何等の不快感もなくこの回転扉１０を利用することができる。また、前記第１乃至第４ドアパネル１４Ａ乃至１４Ｄは、網入り透明ガラス１８を備えた美麗な構成とすることができ、見栄えの点でも従来型の回転扉に比して遜色のないエアーカーテン機能付回転式自動扉装置１とすることができる。
【００３９】
ここで、前記エアーカーテン機能について考察すると、一般にエアーカーテン装置といわれるものは、建造物の出入口等に設置され、例えば天井等からの空気の噴出と、床面に設けた吸引口からの空気の吸引とによって、出入口等に気流の膜を形成するものであるが、建造物内外を遮断するためには高速の空気噴流速度が要求される。
【００４０】
この結果、建造物に次々と出入する人、特に女性に関しては、高速な空気の噴流を行う場合にはその髪形を乱す等の不快感を与えてしまう。
【００４１】
本実施例のエアーカーテン機能付回転式自動扉装置１においては、上述した点を考慮し、前記曲面周壁３Ａ、３Ｂの内周との間の空間１９、床面８との空間２０をいずれも４０ｃｍの寸法に設定するとともに、前記各突出端枠１５、各下枠１７の各空気噴出孔２２を、回転扉１０の回転方向に沿って複数段（例えば２段又は３段）構成とし、各空気噴出孔２２からの空気の噴流速度を緩やかにして特に女性の髪形を乱さない速度の気流とするものである。
【００４２】
本実施例に係るエアーカーテン機能付回転式自動扉装置１によれば、特別に体格の大きい人や大型スーツケース等が、前記第１乃至第４ドアパネル１４Ａ乃至１４Ｄのいずれかの突出端枠１５と前記曲面周壁３Ａ、３Ｂの内周面４ａ、４ｂとの間に挟まった場合を考慮し、手動又は自動で回転扉１０の回転を停止させる制動機能を前記駆動モータ１１、モータ駆動部３３を含む系統に付加した構成とし、同時に、前記突出端枠１５、下枠１７の通行人と直接接触する端縁部分を強化ゴム材や柔軟性樹脂材を用いた構成を採用することもできる。
【００４３】
これらにより、不測の状況においても、事故を未然に防止でき極めて安全性の高いエアーカーテン機能付回転式自動扉装置１とすることができる。
【産業上の利用可能性】
【００４４】
本発明のエアーカーテン機能付回転式自動扉装置は、事務所ビルやデパート、ホテル等の正面玄関等の他、官庁等の公共機関、音楽ホール、博物館、交通機関の駅舎等の出入口等に対して広範に応用可能である。
【図面の簡単な説明】
【００４５】
【図１】本発明の実施例に係るエアーカーテン機能付回転式自動扉装置の概略縦断面図である。
【図２】本実施例に係るエアーカーテン機能付回転式自動扉装置の概略平面図である。
【図３】本実施例に係るエアーカーテン機能付回転式自動扉装置の空調装置を除去した状態の概略平面図である。
【図４】本実施例に係るエアーカーテン機能付回転式自動扉装置の制御系を示すブロック図である。
【図５】本実施例に係るエアーカーテン機能付回転式自動扉装置の第１切り替えダンパ乃至第４切り替えダンパの開閉状態を示すタイミングチャートである。
【符号の説明】
【００４６】
１    エアーカーテン機能付回転式自動扉装置
２    建造物
３Ａ  曲面周壁
３Ｂ  曲面周壁
４ａ  内周面
４ｂ  内周面
５    空気流入孔
５ａ  内部
５ｂ  内部
６    空気排出部
７    天井
８    床面
１０    回転扉
１１    駆動モータ
１２    軸体
１３    枠取り付け体
１４Ａ  第１ドアパネル
１４Ｂ  第２ドアパネル
１４Ｃ  第３ドアパネル
１４Ｄ  第４ドアパネル
１５    突出端枠
１６    上枠
１７    下枠
１８    透明ガラス
１９    空間
２０    空間
２１    空気流入孔
２２    空気噴出孔
２３    空気循環流通路
２４Ａ  第１切り替えダンパ
２４Ｂ  第２切り替えダンパ
２４Ｃ  第３切り替えダンパ
２４Ｄ  第４切り替えダンパ
２５    空調装置
２６    送風機
２７    フィルタ
２８    ヒータ
２９    クーラー
３１    操作パネル
３２    駆動制御部
３３    モータ駆動部
３４    空調装置駆動部
３５    ダンパ駆動部
【図１】
0004725860.tif 000002
【図２】
0004725860.tif 000003
【図３】
0004725860.tif 000004
【図４】
0004725860.tif 000005
【図５】
0004725860.tif 000006